(57)【特許請求の範囲】
【請求項１】
核燃料集合体を収納した状態で貯蔵ピット内の水中に設置される核燃料貯蔵用ラックであって、
前記核燃料集合体を収納するラック本体と、
前記ラック本体の下部に設けられて前記ラック本体を支持する複数の支持脚部と、
前記貯蔵ピットの底面に載置されて前記支持脚部を滑動可能に支持するとともに、前記ラック本体と相対移動可能に接続された台座とを備え、
前記貯蔵ピットの底面に接触する前記台座の接地面の粗度を前記支持脚部が接触する前記台座の接触面の粗度よりも大きくして、前記台座が形成されていることを特徴とする核燃料貯蔵用ラック。
【請求項２】
請求項１に記載の核燃料貯蔵用ラックにおいて、
前記支持脚部と前記台座の互いに接触する接触面が曲面状に形成されていることを特徴とする核燃料貯蔵用ラック。
【請求項３】
請求項１または請求項２に記載の核燃料貯蔵用ラックにおいて、
前記台座が、前記ラック本体あるいは前記支持脚部に索状の連結部材あるいは弾性体を介して接続されていることを特徴とする核燃料貯蔵用ラック。
【請求項４】
請求項１から請求項３のいずれか一項に記載の核燃料貯蔵用ラックにおいて、
前記台座に対する前記支持脚部の滑動量を規制するストッパーが前記台座に設けられていることを特徴とする核燃料貯蔵用ラック。
【請求項５】
請求項１から請求項４のいずれか一項に記載の核燃料貯蔵用ラックにおいて、
前記支持脚部あるいは前記台座に球体が具備され、該球体によって前記支持脚部と前記台座の互いに接触する接触面が形成されていることを特徴とする核燃料貯蔵用ラック。
【発明の詳細な説明】
【技術分野】
【０００１】
本発明は、核燃料貯蔵施設の貯蔵ピット内の水中に、核燃料集合体を収納した状態で貯蔵される核燃料貯蔵用ラックに関する。
【背景技術】
【０００２】
例えば原子力発電所で発生した使用済み核燃料（使用済み核燃料棒）は、核燃料貯蔵施設に貯蔵して保管される。また、使用済み核燃料は、図４に示すように、核燃料集合体として角管内に収容した状態で燃料貯蔵用ラックＡの鉛直セル（ラックセル）１中に収納し、核燃料貯蔵施設２の貯蔵ピット３内に貯蔵される。このとき、貯蔵ピット３には、水が貯留されており、複数の核燃料貯蔵用ラックＡ（核燃料集合体）を整列配置して水中に貯蔵することで、崩壊熱を冷却除去して臨界未満で保持し、また、放射線を遮蔽するようにしている。
【０００３】
さらに、従来、核燃料貯蔵用ラックＡは、サポート（アンカー）を介して貯蔵ピット３の側壁３ａに固定し、サポート及び貯蔵ピット３で支持した状態で貯蔵されている（例えば、特許文献１参照）。しかしながら、このように核燃料貯蔵用ラックＡを貯蔵ピット３に固設した場合には、地震発生時に水の流体付加減衰効果によってある程度免震効果を得ることが可能であるが、大地震時にはサポート荷重が大きくなって核燃料貯蔵用ラックＡを支持しきれなくなるおそれがある。
【０００４】
このため、核燃料貯蔵用ラックＡを貯蔵ピット３の側壁３ａや底部（底面）３ｂに固定せずに貯蔵する方法が提案、実用化されている（例えば、特許文献２参照）。この貯蔵ピット３の側壁３ａや底部３ｂに固定せずに核燃料貯蔵用ラックＡを貯蔵した核燃料貯蔵施設２では、核燃料貯蔵用ラックＡが貯蔵ピット３の底面３ｂに相対的に滑動可能に載置され（滑り機構を設けて相対的に滑動可能に載置され）、地震発生時に作用する水平力（地震力）を水の流体付加減衰効果とともに核燃料貯蔵用ラックＡの滑動によって吸収する。
【０００５】
そして、このように核燃料貯蔵用ラックＡを地震時に滑動させるように構成する場合（すなわち、核燃料貯蔵用ラックＡを自立型ラック（フリースタンディングラック）として構成する場合）、核燃料貯蔵用ラックＡは、例えば図５、図６、図７に示すように、ベースプレート４と、ベースプレート４の４つのコーナー部側に配設され、下方に突設された４つの支持脚部５と、ベースプレート４の上方に設けられ、複数の鉛直セル（ラックセル）１を収容して保持するラック本体（セル格納部）６とを備えて略方形箱状に形成される。また、支持脚部５は、図７に示すように、上下方向に延びる脚部７と、脚部７の下端に一体に固設された支持盤部（台座部）８とを備えて形成されている。さらに、ラック本体６は、図５に示すように支柱６ａと横材６ｂと斜材（ステー）６ｃを組み付けて形成したり、図６に示すように支柱６ａと横材６ｂで囲まれた面内に外周板６ｄを設けるなどして形成される。
【先行技術文献】
【特許文献】
【０００６】
【特許文献１】特開昭６２−１９０４９４号公報
【特許文献２】特開２００６−１６２５９５号公報
【発明の概要】
【発明が解決しようとする課題】
【０００７】
しかしながら、上記のように核燃料貯蔵用ラックを地震時に滑動させるように構成した場合には、核燃料貯蔵用ラックと核燃料集合体の荷重が４つの支持脚部から貯蔵ピットの底面（底盤）に大きな面圧が作用することになる。そして、従来、貯蔵ピットの底盤がコンクリートスラブ上にステンレス製のライナーを敷設して形成されているため、この底盤のコンクリートスラブに破損が生じないように面圧を低減することが強く望まれていた。
【０００８】
また、貯蔵ピットの底盤は、核燃料貯蔵用ラックを設置する底面（接地面）が湾曲して（凹凸を有して）形成されている場合がある。このため、貯蔵ピットの底面が湾曲形成されている場合であっても、地震時に核燃料貯蔵用ラックを確実に滑動させ、免震効果が発揮されるようにする手法が強く望まれていた。
【０００９】
さらに、核燃料貯蔵用ラックを滑動させるように構成した場合には、地震時に核燃料貯蔵用ラックが滑動することでその位置がずれてしまう。そして、従来、核燃料貯蔵用ラックに収納される核燃料集合体を吊り上げ、吊り下ろしして貯蔵ピットに出し入れする搬送装置を自動制御しており、地震によって核燃料貯蔵用ラック自体の位置がずれると、手動で核燃料集合体を出し入れすることが必要になってしまう。このため、特に中小地震時に核燃料貯蔵用ラックが滑動するとともに復元力を作用させ、地震後に核燃料貯蔵用ラックが元の位置に戻るようにする（原点復帰させる）ことが強く望まれていた。
【課題を解決するための手段】
【００１０】
上記の目的を達するために、この発明は以下の手段を提供している。
【００１１】
請求項１記載の核燃料貯蔵用ラックは、核燃料集合体を収納した状態で貯蔵ピット内の水中に設置される核燃料貯蔵用ラックであって、前記核燃料集合体を収納するラック本体と、前記ラック本体の下部に設けられて前記ラック本体を支持する複数の支持脚部と、前記貯蔵ピットの底面に載置されて前記支持脚部を滑動可能に支持するとともに、前記ラック本体と相対移動可能に接続された台座とを備え、前記貯蔵ピットの底面に接触する前記台座の接地面の粗度を前記支持脚部が接触する前記台座の接触面の粗度よりも大きくして、前記台座が形成されていることを特徴とする。
【００１３】
請求項３記載の核燃料貯蔵用ラックは、請求項１または請求項２に記載の核燃料貯蔵用ラックにおいて、前記支持脚部と前記台座の互いに接触する接触面が曲面状に形成されていることを特徴とする。
【００１４】
請求項４記載の核燃料貯蔵用ラックは、請求項１から請求項３のいずれか一項に記載の核燃料貯蔵用ラックにおいて、前記台座が、前記ラック本体あるいは前記支持脚部に索状の連結部材あるいは弾性体を介して接続されていることを特徴とする。
【００１５】
請求項５記載の核燃料貯蔵用ラックは、請求項１から請求項４のいずれか一項に記載の核燃料貯蔵用ラックにおいて、前記台座に対する前記支持脚部の滑動量を規制するストッパーが前記台座に設けられていることを特徴とする。
【００１６】
請求項６記載の核燃料貯蔵用ラックは、請求項１から請求項５のいずれか一項に記載の核燃料貯蔵用ラックにおいて、前記支持脚部あるいは前記台座に球体が具備され、該球体によって前記支持脚部と前記台座の互いに接触する接触面が形成されていることを特徴とする。
【発明の効果】
【００１７】
請求項１記載の核燃料貯蔵用ラックにおいては、貯蔵ピットの底面に載置されて支持脚部を滑動可能に支持する台座が設けられているため、地震時には、核燃料集合体を収納するラック本体を支持する支持脚部が台座上を滑動（摺動）して水平力（地震力）を吸収することができる。そして、このように支持脚部ひいてはラック本体が台座に支持されることにより、支持脚部を貯蔵ピットの底面に接地させる場合と比較し、貯蔵ピットの底盤に作用する面圧を低減することが可能になる。
【００１８】
また、貯蔵ピットの底面が湾曲形成されている場合であっても、支持脚部が台座上を滑動するため、地震時に核燃料貯蔵用ラック（ラック本体及び支持脚部）を確実に滑動させて免震効果を発揮させることができる。
【００１９】
さらに、台座がラック本体と相対移動可能に接続されているため、すなわち、台座が核燃料貯蔵用ラックに一体に接続して具備されているため、核燃料貯蔵用ラックを吊り上げ、吊り下ろしして貯蔵ピットに出し入れするとともに台座を設置、回収することができ、貯蔵ピットの底面に別途台座を設置する場合と比較して取り扱いを容易にすることができる。
【００２０】
請求項２記載の核燃料貯蔵用ラックにおいては、貯蔵ピットの底面に接触する台座の接地面の粗度（台座の下面の面粗さ）が、支持脚部が接触する台座の接触面の粗度（台座の上面の面粗さ）よりも大きく設定されているため、例えば、中小地震時には、支持脚部が台座上を滑動して水平力を吸収し、大地震時には、支持脚部が台座上を滑動するとともに台座が貯蔵ピットの底面上で滑動して水平力を吸収することが可能になる。これにより、地震の規模に応じて確実に免震効果を発揮させることが可能になる。
【００２１】
請求項３記載の核燃料貯蔵用ラックにおいては、支持脚部と台座の互いに接触する接触面が曲面状に形成することで、台座に対して支持脚部が滑動する際に、支持脚部ひいてはラック本体（核燃料貯蔵用ラック）に復元力を作用させることが可能になる。これにより、例えば中小地震後に、核燃料貯蔵用ラックが元の位置に戻るようにする（原点復帰させる）ことが可能になる。よって、地震時に核燃料貯蔵用ラックが滑動して位置ずれが生じ、地震後に手動で核燃料集合体を出し入れすることや核燃料貯蔵用ラックの位置を調整することを不要にできる。
【００２２】
請求項４記載の核燃料貯蔵用ラックにおいては、台座をラック本体あるいは支持脚部にチェーンなどの索状の連結部材、あるいは弾性体を介して接続することで、台座をラック本体と相対移動可能に接続することができる。そして、核燃料貯蔵用ラックを吊り上げ、吊り下ろしして貯蔵ピットに出し入れする際に、索状の連結部材や弾性体によって台座がラック本体あるいは支持脚部に吊り下げ支持されるため、核燃料貯蔵用ラックを貯蔵ピットに出し入れするとともに、容易に台座を設置、回収することが可能になる。
【００２３】
また、台座をラック本体あるいは支持脚部に弾性体を介して接続した場合には、台座に対して支持脚部が滑動する際に、弾性体の弾性力（付勢力）によって支持脚部ひいてはラック本体（核燃料貯蔵用ラック）に復元力を作用させることが可能になる。これにより、例えば中小地震後に、核燃料貯蔵用ラックが元の位置に戻るようにすることが可能になる。よって、地震時に核燃料貯蔵用ラックが滑動して位置ずれが生じ、地震後に手動で核燃料貯蔵用ラックの位置を調整することを不要にできる。
【００２４】
請求項５記載の核燃料貯蔵用ラックにおいては、台座に対する支持脚部の滑動量（摺動量）を規制するストッパーが設けられていることで、例えば大地震時に、台座上を支持脚部が大きく滑動してストッパーに当たるとともに台座を貯蔵ピットの底面上で滑動させるように構成することが可能になる。これにより、地震の規模に応じて確実に免震効果を発揮させることが可能になる。
【００２５】
請求項６記載の核燃料貯蔵用ラックにおいては、球体によって支持脚部と台座の互いに接触する接触面が形成されていることで、台座に対して支持脚部を滑らかに滑動させることができ、確実に免震効果を発揮させることが可能になる。
【図面の簡単な説明】
【００２６】
【図１】本発明の一実施形態に係る核燃料貯蔵用ラックを示す図である。
【図２】本発明の一実施形態に係る核燃料貯蔵用ラックの変形例を示す図である。
【図３】本発明の一実施形態に係る核燃料貯蔵用ラックの変形例を示す図である。
【図４】核燃料貯蔵用ラックを貯蔵した核燃料貯蔵施設の貯蔵ピットを示す図である。
【図５】従来の核燃料貯蔵用ラックを示す図である。
【図６】従来の核燃料貯蔵用ラックを示す図である。
【図７】従来の核燃料貯蔵用ラックを示す図である。
【発明を実施するための形態】
【００２７】
以下、図１（及び図４から図７）を参照し、本発明の一実施形態に係る核燃料貯蔵用ラックについて説明する。本実施形態は、例えば原子力発電所で発生した使用済み核燃料を核燃料貯蔵施設の貯蔵ピット内の水中に貯蔵して保管するための核燃料貯蔵用ラックに関するものである。このため、図４から図７に示した従来の核燃料貯蔵用ラックと同様の構成に対しては同一符号を付して説明を行う。
【００２８】
本実施形態の核燃料貯蔵用ラックＢは、自立型ラックであり、従来の核燃料貯蔵用ラックＡと同様、図１（図４から図７参照）に示すように、核燃料集合体を収納するラック本体６と、ラック本体６の下部に設けられてラック本体６を支持する複数の支持脚部５とを備えて構成されている。また、ラック本体６は、核燃料集合体を収容する複数のラックセル１を格納して保持するように形成されている。支持脚部５は、ラック本体６から下方に突設された脚部７と、脚部７の下端に接続して設けられた略円盤状の支持盤部８とを備えて構成されている。
【００２９】
一方、本実施形態の核燃料貯蔵用ラックＢにおいては、ラック本体６と支持脚部５に加え、貯蔵ピット３の底面３ｂに載置されて支持脚部５を滑動可能（摺動可能）に支持するとともにラック本体６と相対移動可能に接続された台座１０を備えている。
【００３０】
そして、本実施形態では、支持脚部５の支持盤部８の下面（接触面８ａ）が凸曲面状に形成されている。また、台座１０は、支持盤部８よりも大径の略円盤状に形成されるとともに、支持盤部８の下面８ａが接触する上面（接触面１０ａ）が、中心Ｏ１から径方向外側に向かうに従い漸次上方に向かう凹曲面状（本実施形態では球面状）に形成されている。さらに、本実施形態の台座１０は、外周縁に上面１０ａから上方に突出し、台座１０の周方向に繋がる環状のストッパー１１を備えて形成されている。また、この台座１０は、貯蔵ピット３の底面３ｂに接触する下面（接地面）１０ｂの粗度（面粗さ）を支持脚部５が接触する上面（接触面）１０ａの粗度（面粗さ）よりも大きくして形成されている。
【００３１】
そして、このように形成した台座１０は、ラック本体６に設けられた取付治具１２、１３に一端を、台座１０に他端をそれぞれ取り付けたチェーン（索状の連結部材）１４によってラック本体６に相対移動可能に接続されている。このとき、支持脚部５の軸線Ｏ２を間に等間隔で少なくとも２つの取付治具１２、１３がラック本体６に設けられ、各取付治具１２、１３に一端を取り付けた同じ長さの少なくとも２つのチェーン１４が、他端を例えば台座１０のストッパー１１の上端に取り付けて設けられている。
【００３２】
また、各チェーン１４は、核燃料貯蔵用ラックＢを吊り下げた際に、支持脚部５の支持盤部８の下面８ａと台座１０の上面１０ａとの間に隙間が生じる長さで形成されている。さらに、核燃料貯蔵用ラックＢを吊り下げた状態で台座１０の中心Ｏ１が支持脚部５の軸線Ｏ２の延長線上に配されるように、台座１０がチェーン１４を介してラック本体６に接続されている。なお、チェーン１４は、一端を支持脚部５に取り付けて設けられていてもよい。
【００３３】
次に、上記構成からなる本実施形態の核燃料貯蔵用ラックＢの作用及び効果について説明する。
【００３４】
はじめに、本実施形態の核燃料貯蔵用ラックＢは、核燃料集合体をラックセル１中に収納した状態で、搬送装置で吊り下ろして核燃料貯蔵施設２の貯蔵ピット３内に貯蔵される。このとき、チェーン１４を介してラック本体６に接続された台座１０が貯蔵ピット３の底面３ｂに先に接地し、さらに核燃料貯蔵用ラックＢを吊り下ろすことで、台座１０の上面１０ａに支持脚部５の支持盤部８が当接し、貯蔵ピット３内の所定位置に核燃料貯蔵用ラックＢが設置される。そして、このように核燃料貯蔵用ラックＢを設置する際に、台座１０がその中心Ｏ１を支持脚部５の軸線Ｏ２の延長線上に配した状態で吊り下げられるため、核燃料貯蔵用ラックＢを真っ直ぐに吊り下ろすだけで、台座１０が所定位置に設置され、この台座１０に支持脚部５（ひいてはラック本体６）が支持され、容易に核燃料貯蔵用ラックＢの設置作業が行える。なお、貯蔵ピット３から核燃料貯蔵用ラックＢを取り出す際には、核燃料貯蔵用ラックＢを吊り上げるだけで、台座１０の回収が行える。
【００３５】
このように核燃料貯蔵用ラックＢを貯蔵ピット３内に設置した状態で、支持脚部５ひいてはラック本体６が台座１０に支持されている。このため、直接支持脚部５を貯蔵ピット３の底面３ｂに接地させる場合と比較し、貯蔵ピット３の底盤（底面３ｂ）に作用する面圧が低減することになる。
【００３６】
一方、地震が発生して、水平力（地震動）が核燃料貯蔵用ラックＢに作用すると、貯蔵ピット３内の水の流体付加減衰効果とともに、核燃料貯蔵用ラックＢが滑動して水平力が吸収される。このとき、台座１０の上面１０ａの粗度よりも下面１０ｂの粗度が大きいため、例えば中小地震時など、作用する水平力が小さいときには、台座１０の下面１０ｂと貯蔵ピット３の底面３ｂの間の摩擦によって、台座１０が貯蔵ピット３の底面３ｂ上を滑動することがなく、支持脚部５が台座１０上を滑動して水平力が吸収される。
【００３７】
また、支持脚部５が台座１０上を滑動するように構成すると、貯蔵ピット３の底面３ｂが湾曲形成されている場合であっても、確実に支持脚部５が台座１０上を滑動して水平力が吸収される。すなわち、貯蔵ピット３の底面３ｂの湾曲（凹凸）が免震効果に影響を及ぼすことがなく、確実に核燃料貯蔵用ラックＢが滑動して免震効果が発揮されることになる。
【００３８】
また、支持脚部５と台座１０の互いに接触する接触面（支持脚部５の下面８ａ、台座１０の上面１０ａ）が曲面状に形成されているため、支持脚部５が滑動する際には支持脚部５ひいてはラック本体６（核燃料貯蔵用ラックＢ）に復元力が作用する。このため、地震後には、核燃料貯蔵用ラックＢが自動的に元の位置に戻り、核燃料貯蔵用ラックＢに位置ずれが生じることがなくなる（位置ずれが抑止される）。
【００３９】
また、例えば大地震時など大きな水平力が作用した場合には、支持脚部５が台座１０上を滑動して水平力を吸収するとともに、台座１０の下面１０ｂと貯蔵ピット３の底面３ｂの間の摩擦がきれて、台座１０が貯蔵ピット３の底面３ｂ上を滑動し、この台座１０の滑動によっても水平力が吸収される。このとき、台座１０が貯蔵ピット３の底面３ｂ上を滑動する場合には復元力は発生しないが、粗度（面粗さ）が大きいため、大地震時においても滑動量を小さく抑えることができる。
【００４０】
さらに、このとき、台座１０にストッパー１１が設けられているため、大きな水平力が作用して大きく滑動すると、支持脚部５がストッパー１１に当たってその滑動量が規制される。そして、このように支持脚部５がストッパー１１に当たり、ストッパー１１に外力が作用することによって台座１０の下面１０ｂと貯蔵ピット３の底面３ｂの間の摩擦がきれ、台座１０が貯蔵ピット３の底面３ｂ上を滑動して水平力が吸収される。なお、支持脚部５がストッパー１１に当たる衝撃力で水平力を吸収する効果も得られる。
【００４１】
したがって、本実施形態の核燃料貯蔵用ラックＢにおいては、貯蔵ピット３の底面３ｂに載置されて支持脚部５を滑動可能に支持する台座１０が設けられているため、地震時には、核燃料集合体を収納するラック本体６を支持する支持脚部５が台座１０上を滑動（摺動）して水平力（地震力）を吸収することができる。そして、このように支持脚部５ひいてはラック本体６が台座に支持されることにより、支持脚部５を貯蔵ピット３の底面３ｂに接地させる場合と比較し、貯蔵ピット３の底盤３ｂに作用する面圧を低減することが可能になる。
【００４２】
また、貯蔵ピット３の底面３ｂが湾曲形成されている場合であっても、支持脚部５が台座１０上を滑動するため、地震時に核燃料貯蔵用ラックＢ（ラック本体６及び支持脚部５）を確実に滑動させて免震効果を発揮させることができる。
【００４３】
さらに、台座１０がラック本体６と相対移動可能に接続されているため（台座１０が核燃料貯蔵用ラックＢに一体に接続して具備されているため）、核燃料貯蔵用ラックＢを吊り上げ、吊り下ろしして貯蔵ピット３に出し入れするとともに台座１０を設置、回収することができ、貯蔵ピット３の底面３ｂに別途台座を設置する場合と比較して取り扱いを容易にすることができる。すなわち、別途台座を設置する際には、予め台座のみを貯蔵ピット３の底面３ｂに位置調整しながら設置することになるため、多大な労力を要することになるが、台座１０が核燃料貯蔵用ラックＢに一体に接続して設けられていることで、台座１０の設置、回収を容易に行うことが可能になる。
【００４４】
また、本実施形態のように、台座１０をラック本体６（あるいは支持脚部５）にチェーン（索状の連結部材）１４を介して接続することにより、台座１０をラック本体６と相対移動可能に接続することができる。そして、核燃料貯蔵用ラックＢを吊り上げ、吊り下ろしして貯蔵ピット３に出し入れする際に、チェーン１４によって台座１０がラック本体６（あるいは支持脚部５）を吊り下げ支持することができ、核燃料貯蔵用ラックＢを貯蔵ピット３に出し入れするとともに容易に台座１０を設置、回収することが可能になる。
【００４５】
さらに、本実施形態の核燃料貯蔵用ラックＢにおいては、貯蔵ピット３の底面３ｂに接触する台座１０の接地面（下面）１０ｂの粗度が、支持脚部５が接触する台座１０の接触面（上面）１０ａの粗度よりも大きく設定されているため、例えば、中小地震時には、支持脚部５が台座１０上を滑動して水平力を吸収し、大地震時には、支持脚部５が台座１０上を滑動するとともに台座１０が貯蔵ピット３の底面３ｂ上で滑動して水平力を吸収することが可能になる。これにより、地震の規模に応じて確実に免震効果を発揮させることが可能になる。
【００４６】
また、支持脚部５と台座１０の互いに接触する接触面８ａ、１０ａが曲面状に形成されていることで、台座１０に対して支持脚部５が滑動する際に、支持脚部５ひいてはラック本体６（核燃料貯蔵用ラックＢ）に復元力を作用させることが可能になる。これにより、例えば中小地震後に、核燃料貯蔵用ラックＢが元の位置に戻るようにする（原点復帰させる）ことが可能になる。よって、地震時に核燃料貯蔵用ラックＢが滑動して位置ずれが生じ、地震後に手動で核燃料貯蔵用ラックＢの位置を調整することを不要にできる。
【００４７】
さらに、台座１０に対する支持脚部５の滑動量（摺動量）を規制するストッパー１１が設けられていることで、例えば大地震時に、台座１０上を支持脚部５が大きく滑動してストッパー１１に当たるとともに台座１０を貯蔵ピット３の底面３ｂ上で滑動させるように構成することが可能になる。これにより、地震の規模に応じて確実に免震効果を発揮させることが可能になる。
【００４８】
以上、本発明に係る核燃料貯蔵用ラックの一実施形態について説明したが、本発明は上記の一実施形態に限定されるものではなく、その趣旨を逸脱しない範囲で適宜変更可能である。
【００４９】
例えば図２に示すように、支持脚部８に球体１５を具備し、この球体１５によって支持脚部５の接触面８ａ（１５ａ）を形成するようにしてもよい。この場合には、本実施形態のように支持脚部５の接触面８ａを曲面状に形成したものよりも、台座１０に対して支持脚部５を滑らかに滑動させることができ、確実に免震効果を発揮させることが可能になる。また、図２では、支持脚部１５に球体を設けるようにしているが、台座１０に複数の球体１５を設け、これら球体１５によって台座１０の接触面１０ａ（１５ａ）を形成するようにしてもよく、この場合においても上記と同様の効果を得ることが可能である。
【００５０】
また、本実施形態では、チェーン（索状の連結部材）１４を用いて台座１０をラック本体６に相対移動可能に接続するものとしたが、例えば図３に示すように、台座１０がラック本体６あるいは支持脚部５にバネなどの弾性体１６を介して接続されていてもよい。そして、この場合には、本実施形態と同様に、核燃料貯蔵用ラックＢを吊り上げ、吊り下ろしして貯蔵ピット３に出し入れする際に、弾性体１６によって台座１０がラック本体６あるいは支持脚部５に吊り下げ支持されるため、核燃料貯蔵用ラックＢを貯蔵ピット３に出し入れするとともに、容易に台座１０を設置、回収することが可能になる。
【００５１】
さらに、台座１０に対して支持脚部５が滑動する際に、弾性体１６の弾性力（付勢力）によって支持脚部５ひいてはラック本体６（核燃料貯蔵用ラックＢ）に復元力を作用させることが可能になる。これにより、例えば中小地震後に、核燃料貯蔵用ラックＢが元の位置に戻るようにすることが可能になる。よって、この場合においても、地震時に核燃料貯蔵用ラックＢが滑動して位置ずれが生じ、地震後に手動で核燃料貯蔵用ラックＢの位置を調整することを不要にできる。
【符号の説明】
【００５２】
１      ラックセル
２      核燃料貯蔵施設
３      貯蔵ピット
３ａ    側壁
３ｂ    底面（底盤、底部）
４      ベースプレート
５      支持脚部
６      ラック本体（セル格納部）
６ａ    支柱
６ｂ    横材
６ｃ    斜材
６ｄ    外周板
７      脚部
８      支持盤部（台座部）
８ａ    下面（接触面）
１０    台座
１０ａ  上面（接触面）
１０ｂ  下面（接地面）
１１    ストッパー
１２    取付治具
１３    取付治具
１４    チェーン（索状の連結部材）
１５    球体
１５ａ  接触面
１６    弾性体
Ａ      従来の核燃料貯蔵用ラック
Ｂ      核燃料貯蔵用ラック
Ｏ１    台座の中心軸
Ｏ２    支持脚部の軸線
【図１】
0005610960.tif 000002
【図２】
0005610960.tif 000003
【図３】
0005610960.tif 000004
【図４】
0005610960.tif 000005
【図５】
0005610960.tif 000006
【図６】
0005610960.tif 000007
【図７】
0005610960.tif 000008